(57)【特許請求の範囲】
【請求項１】
管理者を含むユーザを認証し、装置の使用を許可する認証手段と、
認証されたユーザが管理者であるか否かを特定する管理者識別手段と、
装置の初期状態での全ての初期設定項目を複数種類に分類し、各種類について管理者による設定操作の変更の可・不可と管理者以外のユーザによる設定操作の変更の可・不可を定めた情報を管理する管理テーブル手段と、
前記認証手段で認証され前記管理者識別手段で識別されたユーザが前記分類された初期設定項目の変更操作を行ったとき、前記管理テーブル手段で管理されている情報を参照して前記分類された初期設定項目を変更する初期設定変更手段と、
前記認証手段で認証され前記管理者識別手段で識別されたユーザが、前記管理テーブルにおいて前記分類された初期設定項目群のうち、前記初期設定変更手段によって管理者以外のユーザによる変更ができない、前記装置の設定操作で操作できる機能の詳細設定である初期設定項目群を、所定の期間前記初期設定変更手段で変更できるようにアクセスレベルを設定する設定手段と、を備え、
前記設定手段は、前記管理者が管理者以外のユーザに前記初期設定項目群の設定変更を可能にしているときに、前記初期設定項目群内の任意の初期設定値をユーザが変更した場合、該ユーザの前記認証手段による認証が無効になった時点で当該設定変更内容を元に戻すことを特徴とする画像形成装置。
【請求項２】
前記設定手段は、前記管理者が管理者以外のユーザに前記初期設定項目群の設定変更を可能にさせるか否かを指定することができることを特徴とする請求項１記載の画像形成装置。
【請求項３】
前記設定手段は、前記管理者が管理者以外のユーザに前記初期設定項目群の設定変更を可能にしている場合に、前記初期設定項目群内の任意の初期設定値をユーザが変更した場合、装置の動作完了後に当該設定変更内容を元に戻すように警告表示する設定ができることを特徴とする請求１または２記載の画像形成装置。
【発明の詳細な説明】
【技術分野】
【０００１】
本発明は、画像形成装置に関し、特に初期設定項目の多い画像形成装置に関するものである。
【背景技術】
【０００２】
近年、複写機の有する機能は単に原稿台に置かれた原稿を複写するのみならず、原稿よりも濃度を濃くしたり、文字画像部分をシャープにするような画像処理機能、原稿画像データに「丸秘」などの文字画像を貼り付け印刷出力するスタンプ機能、複数枚の原稿を１枚の転写紙に作像し出力する集約コピー機能など、多彩な機能を有するようになった。しかしながら、複写機の動作設定を行う操作パネルは、低価格、操作性、各種機能に対する使用頻度を考慮に入れ、上記機能の全てを表示できないようなサイズのものになっている。この場合、例えば、集約コピー時に原稿画像間に点線、実線のいずれを挿入するかなどといった指定手段は、通常の機能設定画面には表示されず、集約機能選択時に自動的に設定されるように初期設定画面にて操作開始前に予め指定しておくようにしている。
【０００３】
しかしながら、この初期設定が変更されてしまうと、次に複写機を使用するユーザが集約を選択したときにも前ユーザが指定した集約仕切り線が印刷出力に付加されてしまい、場合によっては意図しない出力となり、無駄な紙を増やすことになる。これは特に、複写機の使用頻度が低い、もしくは複雑なコピー出力は期待されていないような使用環境で起こる現象である。だが、逆に主に受け取った原稿に対する大量コピーを行うような印刷業者等では、初期設定の詳細設定を熟知している場合が多いため、初期設定の変更は誰にでも使用できるようにしておくことが望ましい。
【０００４】
機器内の各種機能の使用可・不可情報をユーザごとに機器内で記憶しておくことにより、その機器でユーザが行える操作を詳細に限定することができる（例えば、特許文献１参照）。
この場合は、初期設定時にその複写機の個々の機能を使用可・不可にする設定することにより、使用環境に応じて、操作パネル上の機能キーの表示／非表示、もしくは、他機能との入れ替えを行うようなことができる。例えば、複写機にシフトユニットを装備している場合は、ソート機能を通常画面に表示するが、シフトユニットを備えていない場合は、ソート機能を通常画面からなくし、転写紙の向きが部ごとに切り替わる「回転ソート」機能を通常画面に表示するようにしておくと良い。しかしながら、「回転ソート」機能は、同サイズの用紙を異なる向きで給紙トレイにセットしておくことが前提となるため、２段の給紙段に同サイズの用紙をセットするようにしておかなければならない。給紙段数には限りがあるため、同サイズの用紙を異なる段にセットすると、給紙できる用紙サイズの種類が限られてくる。この制約が使用環境上、好ましくない場合は「回転ソート」ではなく「ソート」機能を通常画面上操作できるようにしなければならない。
【特許文献１】特開２０００−３５７０６４号公報
【発明の開示】
【発明が解決しようとする課題】
【０００５】
本発明は、初期設定項目を変更する場合に、設定変更した項目で装置を使用した後における装置の使い勝手に支障が生じないようにすることを課題とする。
【課題を解決するための手段】
【０００６】
本発明による画像形成装置は、管理者を含むユーザを認証し、装置の使用を許可する認証手段と、認証されたユーザが管理者であるか否かを特定する管理者識別手段と、装置の初期状態での全ての初期設定項目を複数種類に分類し、各種類について管理者による設定操作の変更の可・不可と管理者以外のユーザによる設定操作の変更の可・不可を定めた情報を管理する管理テーブル手段と、前記認証手段で認証され前記管理者識別手段で識別されたユーザが前記分類された初期設定項目の変更操作を行ったとき、前記管理テーブル手段で管理されている情報を参照して前記分類された初期設定項目を変更する初期設定変更手段と、前記認証手段で認証され前記管理者識別手段で識別されたユーザが、前記管理テーブルにおいて前記分類された初期設定項目群のうち、前記初期設定変更手段によって管理者以外のユーザによる変更ができない、前記装置の設定操作で操作できる機能の詳細設定である初期設定項目群を、所定の期間前記初期設定変更手段で変更できるようにアクセスレベルを設定する設定手段と、を備え、前記設定手段は、前記管理者が管理者以外のユーザに前記初期設定項目群の設定変更を可能にしているときに、前記初期設定項目群内の任意の初期設定値をユーザが変更した場合、該ユーザの前記認証手段による認証が無効になった時点で当該設定変更内容を元に戻すことを特徴とするものである。
【０００７】
請求項２記載の発明は、請求項１記載の画像形成装置において、前記設定手段は、前記管理者が管理者以外のユーザに前記初期設定項目群の設定変更を可能にさせるか否かを指定することができることを特徴とする。
【０００８】
請求項３記載の発明は、請求項１または２記載の画像形成装置において、前記設定手段は、前記管理者が管理者以外のユーザに前記初期設定項目群の設定変更を可能にしている場合に、前記初期設定項目群内の任意の初期設定値をユーザが変更した場合、装置の動作完了後に当該設定変更内容を元に戻すように警告表示する設定ができることを特徴とする。
【発明の効果】
【００１４】
ユーザは定められた設定項目についてのみ設定変更することができ、その他の項目がみだりに変更されてその後の装置の使い勝手に支障が生じることを無くすことができる。
【発明を実施するための最良の形態】
【００１５】
本発明は、初期設定項目を変更して装置を使用した場合、その後における装置の使い勝手に支障が生じないようにするために、全初期設定項目について、管理者及び管理者以外のユーザによりそれぞれ設定変更可・不可を定めた管理テーブルを備えたものである。
【実施例】
【００１６】
図１０は本発明を適用した電子装置としての画像形成装置の実施例を示す構成図である。
自動原稿送り装置（以後ＡＤＦ）１にある原稿台２に原稿の画像面を上にして置かれた原稿束は、操作部３０上のスタートキー３４が押下されると、一番上の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４、排送ローラ５はモータによって駆動される。
【００１７】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１８】
後処理装置のフィニシャ１００は、通常排紙ローラ１０２方向と、ステープル処理部方向に導くことができる。切り替え板１０１を上に切り替えることにより、搬送ローラ１０３を経由して通常排紙トレイ１０４側に排紙することができる。また、切り替え板１０１を下方向に切り替える事で、搬送ローラ１０５、１０７を経由して、ステープル台１０８に搬送することができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１９】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。転写紙の両面に画像を作像する場合は、各給紙トレイ８〜１０から給紙され作像された転写紙を排紙トレイ１０４側に導かないで、経路切り替えの為の分岐爪１１２を上側にセットすることで、一旦両面給紙ユニット１１１にストックする。
【００２０】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２１】
図２は操作部３０を示す構成図である。
操作部３０には、液晶タッチパネル３１、テンキー３２、クリア／ストップキー３３、プリントキー３４、リセットキー３６、初期設定キー３７があり、液晶タッチパネル３１には、各種機能キー及び画像形成装置の状態を示すメッセージなどが表示される。
オペレータが液晶タッチパネル３１に表示されたキーにタッチすることで、選択された機能を示すキーが黒く反転する。このように、液晶タッチパネル３１は、ドット表示器を使用しているため、その時の最適な表示をグラフィカルに行うことが可能である。
【００２２】
初期設定キー３７を押すことで、機械の初期状態を任意にカスタマイズすることが可能である。機械が収納している用紙サイズを設定したり、コピー機能のリセットキーを押したときに設定される状態を任意に設定可能である。また、液晶タッチパネル３１にて表示されている各種機能に対する詳細設定が可能である。例えば、液晶タッチパネル３１上の「集約コピー」キーを押下して、コピーを実行した場合の、集約仕切り線の種類の設定もここで行う。
【００２３】
図３は初期設定キー押下時の液晶タッチパネル３１の表示例を示す。
優先給紙段設定キー３５では、装置起動時もしくはリセットキー３６押下時に通常画面で自動的に選択される給紙段を指定する。集約仕切り線設定３６では、液晶タッチパネル３１内の集約コピーキー押下後、コピーを実行した場合に付加される集約仕切り線の種類（破線または実線）を設定できる。両面印刷優先設定３８では、装置起動時もしくはリセットキー３６押下時に液晶タッチパネル３１上の片面→両面を選択状態にするか否かを指定できる。ソート／回転ソート切替３７では、液晶タッチパネル３１上のソートキーを回転ソートキーに変更できる。
【００２４】
管理者設定キー３９を押下するとタッチパネル３１には図６の管理者設定画面が表示される。ここでユーザ登録設定４０を押下すると、新規にユーザを登録したり登録ユーザを削除できる。１ユーザ毎にユーザ名、パスワードを登録することが可能である。管理者登録設定４２では登録ユーザの中から一人だけ管理者として指定できる。
【００２５】
認証機能設定キー４１では認証機能のＯＮ／ＯＦＦを指定することができ、特に認証機能ＯＮの設定にすると、装置起動時に図９のような認証画面がタッチパネル３１に表示される。ここでユーザ名入力キー４７を押下するとユーザ名入力可能な状態となり、テンキー３２押下によりユーザ名が入力できる。確定キー４９を押下すると入力が終了したことを示し、それ以降入力キー４７を押下するまではテンキー３２を押下してもユーザ名を入力はできない。入力したユーザ名は表示領域４５に表示される。パスワードも同様に入力できるが表示領域４６にはパスワード文字列分の”＊”（アスタリスク）文字が表示されるのみになる。ユーザ名、パスワードを入力し認証実行キー５１を押下すると、入力ユーザ名と入力パスワードが装置にて登録済みであれば、図９の画面は閉じタッチパネルの表示は図２になる。この認証状態を解除するにはＣ／Ｓキー３３とリセットキー３６を同時押下する。この同時押下の操作により液晶タッチパネル３１は図９の状態に戻る。図６のアクセスレベル４３については後述する。
【００２６】
図１１はメインコントローラを中心に制御装置を図示したものである。
メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。各分散制御装置とメインコントローラ２０は必要に応じて機械の状態、動作指令のやりとりを行っている。また紙搬送等に必要なメインモータ２５、各種クラッチ２１〜２４も接続されている。
【００２７】
図１０に戻り、画像形成装置の原稿読み取りから、画像の書き込みまでを説明する。
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読み取るときには、光路長が変わらないように、第１キャリッジと第２キャリッジは２対１の相対速度で機械的に操作される。この光学走査系は、図示しないスキャナ駆動モータにて駆動される。
【００２８】
原稿画像は、ＣＣＤイメージセンサ５４によって読み取られ、電気信号に変換されて処理される。書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００２９】
図１２は画像処理ユニット（ＩＰＵ）４９内部構成のブロック図である。
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正部６、ＭＴＦ・γ補正部６３でシェーディング補正、ＭＴＦ補正、γ補正等がなされる。その後、印字合成部７１を介して入力した画像データは、セレクタ６４により変倍回路７６へ、あるいは画像メモリコントローラ６５へ切り替えて供給するされる。変倍回路７７を経由した画像信号は変倍率に合せて拡大縮小され、書き込みユニット５７に送られる。
【００３０】
一方、画像メモリコントローラ６５とセレクタ６４間は、双方向に画像信号を入出力可能な構成となっている。図１１には特に明示していないが、ＩＰＵ４９には読み取りユニット５０から入力される画像データ以外にもＩ／Ｏポート６７を介して外部から供給される画像データ、例えばパーソナルコンピュータ等のデータ処理装置から入力したデータも処理できるように、複数のデータの入出力の選択を行う機能を有しているものとする。
【００３１】
また、画像メモリコントローラ６５等への設定や、読み取り部５０書き込み部５７の制御を行うＣＰＵ６８、及びそのプログラムやデータを格納するＲＯＭ６９、ＲＡＭ７０、ＮＶ−ＲＡＭ７４を備えている。さらにＣＰＵ６８は、メモリコントローラ６５を介して画像メモリ６６のデータの書き込み、読み出しが行える。原稿画像で画像メモリコントローラ６５へ送られた画像は、画像メモリコントローラ内にある画像圧縮装置によって画像データを圧縮した後、画像メモリ６６に送られる。
【００３２】
ここで画像圧縮する理由は、最大画像サイズ分の２５６階調のデータをそのまま画像メモリ６６に書き込むことも可能であるが、１枚の原稿画像で画像メモリを大変多く使用する。画像圧縮を行うことで、限られた画像メモリを有効に利用できる。また、一度に多くの原稿画像データを記憶することができるため、ソート機能として、貯えられた原稿画像イメージデータをページ順に出力することができる。この場合画像を出力する際に画像メモリ６６のデータをメモリコントローラ６５内の伸長装置で順次伸長しながら出力を行う。このような機能は一般に「電子ソート」と呼ばれている。
【００３３】
画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込むことで画像メモリの処理を行うことができる。加工された画像は再度画像メモリ６６に保持される。画像メモリ６６は、処理を行う画像データの大きさにより複数のエリアに分割して画像データの入出力を同時に実行可能に構成されている。分割した各エリアに画像データの入力、出力をそれぞれ並列に実行可能にするために、メモリコントローラ６５とのインターフェースにリード用とライト用の二組のアドレス・データ線で接続されている。これによりエリア１に画像を入力（ライト）する間にエリア２より画像を出力（リード）するという動作が可能になる。
【００３４】
画像メモリ６６は多くの画像データを収納するため、ハードディスク７５を別に設けることもある。ハードディスク７５を用いることにより、外部電源が不用で永久的に画像を保持できる特徴もある。複数の定型の原稿（フォーマット原稿）をスキャナで読み込み保持するためには、このハードディスク７５が用いられるのが一般的である。
【００３５】
書き込み、読み出しには本体の作像やスキャナからの画像書き込みに対し処理速度の差を吸収するために、画像メモリ６６に一旦記憶され処理される。また画像記憶装置からのデータを書き込みユニット５７に送る際は、画像メモリ６６に一旦記憶し、書き込みユニット５７に送ることになる。このように画像を記憶する装置の画像メモリ６６、ハードディスク７５、スキャナ画像、書き込みユニットに送る画像の入出力は全てメモリコントローラ６５によって画像パスを決められる。
このようにＣＰＵ６８が画像データの入力、出力を決めることでＣＰＵ６８に接続されたメモリコントローラ６５が画像の流れを切り替えることが可能となる。
【００３６】
次に、図１３を用いて、セレクタ６４における１ページ分の画像信号について説明する。／ＦＧＡＴＥは、１ページの画像データの副走査方向の有効期間を表している。／ＬＳＹＮＣは、１ライン毎の主走査同期信号であり、この信号が立ち上がった後の所定クロックで画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。本実施例では、転写紙への書込密度４００ｄｐｉ、最大画素数は主走査４８００画素、副走査６８００画素である。また本実施例では、画像データは２５５に近いほど白画像になるとする。
登録ユーザ情報、管理者情報、その他初期設定情報は全てＮＶ−ＲＡＭ７４に格納されており、装置の電源が切られたとしても設定情報は維持され続ける。
【００３７】
全初期設定項目を
Ａ・・・液晶タッチパネル３１に機能キー表示を行うか否かを設定するもの
Ｂ・・・液晶タッチパネル３１上の機能キー押下時に自動設定される、機能詳細設定
になるもの
Ｃ・・・装置起動時もしくはリセットキー３２押下時に自動的に設定されるもの
のいづれかに分類し、分類Ａ，Ｂ，Ｃに対して管理者と管理者を除くユーザのアクセス可・不可の情報が付加された図１に示すアクセス制御テーブル１００を設ける。このアクセス制御テーブル１００はＮＶーＲＡＭ７４に格納されている。
このアクセス制御テーブル１００の初期設定項目（初期状態での設定可能項目）は、図１のようになっており、分類Ｂ，Ｃに該当する項目は管理者以外のユーザによる変更ができない。
【００３８】
ここで、画像形成装置を含む一般の電子装置においては、
分類Ａは，通常設定操作で操作可能な機能の使用可・不可を定める第１の初期設定項目群である。
分類Ｂは、通常設定操作の詳細設定だが通常操作では操作できない機能を有する第２の初期設定項目群である。
分類Ｃは、起動時の装置の初期状態を設定する第３の初期設定項目群である。
【００３９】
例えば分類Ｃについて設定変更する場合は、管理者ユーザが図６、図９の画面により認証を実行した後、図２の初期設定キー３７を押下すると、図３の初期設定画面となり、その設定優先給紙段設定キー３５を押下すると、図４の優先給紙段設定画面が表示される。この状態で「トレイ２」キーを押下すると、「トレイ１」キーの反転表示（黒表示）が解除され、「トレイ２」キーが反転表示になる。「設定」キーを押下すると初期設定の変更が確定される。以降、そのままコピーを実行すると給紙段１から給紙される。また、リセットキー３６（図２）を押下すると、給紙トレイ選択がトレイ１になり、そのままコピーを実行すると給紙段１から給紙される。
【００４０】
もし管理者以外のユーザが認証を実行し、初期設定キー３７（図２）を押下し、優先給紙段設定３５キー（図３）を押下すると、図１３のアクセス制御テーブル１００において、ユーザは優先給紙段設定を含む分類Ｃに対して”×”になっているため、図５のような警告が表示される。
【００４１】
図６の管理者設定画面においてアクセスレベルキー４３を押下すると、液晶タッチパネル３１には図７のアクセスレベル設定画面が表示される。表示領域４５の５つのキーはアクセスレベルであり、装置は各レベルに応じて以下の動作を行う。
「１」・・・分類Ｂをユーザにより設定変更可能とする。
「２」・・・分類Ｂをユーザに設定変更させるが、認証無効化前には使用後は設定値を元に戻すよう警告表示する（図８）。
「３」・・・分類Ｂをユーザに一時的に設定変更させる。認証が無効になった時点で設定値も元に戻す。
「４」・・・分類Ｂをユーザに設定変更させない。
従って、各レベルのキーの１つを押下して反転表示させた後、「設定」キーを押下すれば選択したアクセスレベルが確定する。
【００４２】
本実施例によれば、全初期設定項目を、全てのユーザが設定変更できる項目と、管理者のみ設定変更できる項目に分類したので、管理者以外のユーザは定められた設定項目についてのみ通常の設定操作により変更することができ、その他の項目が管理者以外のユーザによってみだりに変更されてその後の装置の使い勝手に支障が生じることを無くすことができる。
また、特に分類Ｂについては、全てのユーザに設定変更可能にするが、変更された所定の項目については設定値を元に戻せるようにしたので、その後の装置の使い勝手に支障が生じることを無くすことができる。
【００４３】
以上に説明した実施例は本発明を画像形成装置に適用した場合であるが、本発明は一般的に電子装置、特に初期設定項目が多い電子装置に適用することができる。
【図面の簡単な説明】
【００４４】
【図１】アクセス制御テーブルの構成図である。
【図２】操作部の構成図である。
【図３】初期設定画面の構成図である。
【図４】優先給紙段設定画面の構成図である。
【図５】優先給紙段設定画面の構成図である。
【図６】管理者設定画面の構成図である。
【図７】アクセスレベル設定画面の構成図である。
【図８】集約仕切り線設定画面の構成図である。
【図９】認証画面の構成図である。
【図１０】画像形成装置の実施例を示す構成図である。
【図１１】制御装置の構成を示すブロック図である。
【図１２】画像処理ユニット（ＩＰＵ）の内部構成を示すブロック図である。
【図１３】１ページ分の画像信号及び関連する信号のタイミングチャートである。
【符号の説明】
【００４５】
１００    アクセス制御テーブル
３０    操作部
３１    液晶タッチパネル
３２    リセットキー
３５    設定優先給紙段設定キー
３７    初期設定キー
４３    アクセスレベルキー
６８    ＣＰＵ
【図１】
0004796272.tif 000002
【図２】
0004796272.tif 000003
【図３】
0004796272.tif 000004
【図４】
0004796272.tif 000005
【図５】
0004796272.tif 000006
【図６】
0004796272.tif 000007
【図７】
0004796272.tif 000008
【図８】
0004796272.tif 000009
【図９】
0004796272.tif 000010
【図１０】
0004796272.tif 000011
【図１１】
0004796272.tif 000012
【図１２】
0004796272.tif 000013
【図１３】
0004796272.tif 000014